【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
無線通信に関する移動局において、
リバースチャネル上に送信するためのメッセージを発生するように構成された制御プロセッサーであって、前記メッセージは第１のプロトコル修正フィールドと第２のプロトコル修正フィールドを含み、前記第１のプロトコル修正フィールドは前記移動局によりサポートされるメッセージフォーマットを示し、前記第２のプロトコル修正フィールドは前記移動局によりサポートされる必須の特徴のセットを示すステーションクラスマークフィールドを具備し、前記必須の特徴のセットは、前記メッセージフォーマットと同じプロトコルに関する第２の標準修正(standards revision)により定義される、無線通信に関する移動局。
【請求項２】
前記メッセージは、開始メッセージ(origination message)、ページ応答メッセージ、および登録メッセージを含むグループから選択される、請求項１の移動局。
【請求項３】
前記第１および第２の標準修正はＩＳ−２０００修正０、ＩＳ−２０００修正Ａ、ＩＳ−２０００修正Ｂ、ＩＳ−２０００修正Ｃ、およびＩＳ−２０００修正Ｄを含むグループから選択される、請求項２の移動局。
【請求項４】
前記移動局によりサポートされるメッセージフォーマットは前記ＩＳ−２０００修正Ｄ標準修正(IS-2000 Revision D standards revision)により定義される、請求項３の移動局。
【請求項５】
移動局を動作させる方法において、
リバースチャネル上への送信に関するメッセージを発生することと、ここにおいて、前記メッセージは、第１のプロトコル修正フィールドと第２のプロトコル修正フィールドを含み、前記第１のプロトコル修正フィールドは、前記移動局によりサポートされるメッセージフォーマットを示し、前記第２のプロトコル修正フィールドは前記移動局によりサポートされる必須の特徴のセットを示すステーションクラスマークフィールド(a station class mark field)を具備し、前記メッセージフォーマットは第１の標準修正により定義され、前記必須の特徴のセットは前記メッセージフォーマットと同じプロトコルに関する第２の標準修正により定義される、方法。
【請求項６】
前記メッセージは開始メッセージ、ページ応答メッセージ、および登録メッセージを含むグループから選択される、請求項５の方法。
【請求項７】
前記第１および第２の標準修正はＩＳ−２０００修正０、ＩＳ−２０００修正Ａ、ＩＳ−２０００修正Ｂ、ＩＳ−２０００修正Ｃ、およびＩＳ−２０００修正Ｄを含むグループから選択される、請求項６の方法。
【請求項８】
前記移動局によりサポートされるメッセージフォーマットは前記ＩＳ−２０００修正Ｄ標準修正(IS-2000 Revision D standards revision)により定義される、請求項７の方法。
【請求項９】
無線通信に関する移動局において、
リバースチャネル上への送信に関するメッセージを発生する手段と、ここにおいて前記メッセージは第１のプロトコル修正フィールドと第２のプロトコル修正フィールドを含み、前記第１のプロトコル修正フィールドは前記移動局によりサポートされるメッセージフォーマットを示す第１のプロトコル修正フィールドを示し、前記第２のプロトコル修正フィールドは前記移動局によりサポートされる必須の特徴のセットを示すステーションクラスマーク(a station class mark)を具備し、前記メッセージフォーマットは第１の標準修正(standards revision)により定義され、前記必須の特徴のセットは前記メッセージフォーマットと同じプロトコルに関する第２の標準修正により定義される、
前記メッセージを前記リバースチャネル上に送信する手段と、
を具備する移動局。
【請求項１０】
前記メッセージは開始メッセージ、ページ応答メッセージ、および登録メッセージを含むグループから選択される、請求項９の移動局。
【請求項１１】
前記第１および第２の標準修正はＩＳ−２０００修正０、ＩＳ−２０００修正Ａ、ＩＳ−２０００修正Ｂ、ＩＳ−２０００修正Ｃ、およびＩＳ−２０００修正Ｄを含むグループから選択される、請求項１０の移動局。
【請求項１２】
前記移動局によりサポートされるメッセージフォーマットは前記ＩＳ−２０００修正Ｄ標準修正(IS-2000 Revision D standards revision)により定義される、請求項１１の移動局。
【請求項１３】
命令を具備する機械可読媒体において、前記命令は前記機械により実行されると前記機械に動作を実行させ、前記動作は、前記機械に、
リーバスチャネル上への送信に関するメッセージを発生させ、ここにおいて、前記メッセージは前記メッセージは第１のプロトコル修正フィールドと第２のプロトコル修正フィールドを含み、前記第１のプロトコル修正フィールドは前記移動局によりサポートされるメッセージフォーマットを示す第１のプロトコル修正フィールドを示し、前記第２のプロトコル修正フィールドは前記移動局によりサポートされる必須の特徴のセットを示すステーションクラスマーク(a station class mark)を具備し、前記メッセージフォーマットは第１の標準修正(standards revision)により定義され、前記必須の特徴のセットは前記メッセージフォーマットと同じプロトコルに関する第２の標準修正により定義される、
を具備する機械可読媒体。
【請求項１４】
無線通信に関する基地局において、
移動局からのリバースチャネル上のメッセージを受信するように構成された受信機と、ここにおいて、前記メッセージは前記メッセージは第１のプロトコル修正フィールドと第２のプロトコル修正フィールドを含み、前記第１のプロトコル修正フィールドは前記移動局によりサポートされるメッセージフォーマットを示す第１のプロトコル修正フィールドを示し、前記第２のプロトコル修正フィールドは前記移動局によりサポートされる必須の特徴のセットを示すステーションクラスマーク(a station class mark)を具備し、前記メッセージフォーマットは第１の標準修正(standards revision)により定義され、前記必須の特徴のセットは前記メッセージフォーマットと同じプロトコルに関する第２の標準修正により定義される、
を具備する基地局。
【請求項１５】
前記メッセージは開始メッセージ、ページ応答メッセージ、および登録メッセージを含むグループから選択される、請求項１４の基地局。
【請求項１６】
前記第１および第２の標準修正はＩＳ−２０００修正０、ＩＳ−２０００修正Ａ、ＩＳ−２０００修正Ｂ、ＩＳ−２０００修正Ｃ、およびＩＳ−２０００修正Ｄを含むグループから選択される、請求項１５の基地局。
【請求項１７】
前記移動局によりサポートされるメッセージフォーマットは前記ＩＳ−２０００修正Ｄ標準修正(IS-2000 Revision D standards revision)により定義される、請求項１６の基地局。
【請求項１８】
基地局を動作させる方法において、
移動局からのリバースチャネル上のメッセージを受信することと、ここにおいて、前記メッセージは前記メッセージは第１のプロトコル修正フィールドと第２のプロトコル修正フィールドを含み、前記第１のプロトコル修正フィールドは前記移動局によりサポートされるメッセージフォーマットを示す第１のプロトコル修正フィールドを示し、前記第２のプロトコル修正フィールドは前記移動局によりサポートされる必須の特徴のセットを示すステーションクラスマーク(a station class mark)を具備し、前記メッセージフォーマットは第１の標準修正(standards revision)により定義され、前記必須の特徴のセットは前記メッセージフォーマットと同じプロトコルに関する第２の標準修正により定義される、
を具備する方法。
【請求項１９】
前記メッセージは開始メッセージ、ページ応答メッセージ、および登録メッセージを含むグループから選択される、請求項１８の方法。
【請求項２０】
前記第１および第２の標準修正はＩＳ−２０００修正０、ＩＳ−２０００修正Ａ、ＩＳ−２０００修正Ｂ、ＩＳ−２０００修正Ｃ、およびＩＳ−２０００修正Ｄを含むグループから選択される、請求項１９の方法。
【請求項２１】
前記移動局によりサポートされるメッセージフォーマットは前記ＩＳ−２０００修正Ｄ標準修正(IS-2000 Revision D standards revision)により定義される、請求項２０の方法。
【請求項２２】
無線通信に関する基地局において、
移動局からのリバースチャネル上のメッセージを受信する手段と、ここにおいて、前記メッセージは前記メッセージは第１のプロトコル修正フィールドと第２のプロトコル修正フィールドを含み、前記第１のプロトコル修正フィールドは前記移動局によりサポートされるメッセージフォーマットを示す第１のプロトコル修正フィールドを示し、前記第２のプロトコル修正フィールドは前記移動局によりサポートされる必須の特徴のセットを示すステーションクラスマーク(a station class mark)を具備し、前記メッセージフォーマットは第１の標準修正(standards revision)により定義され、前記必須の特徴のセットは前記メッセージフォーマットと同じプロトコルに関する第２の標準修正により定義される、
を具備する基地局。
【請求項２３】
前記メッセージは開始メッセージ、ページ応答メッセージ、および登録メッセージを含むグループから選択される、請求項２２の基地局。
【請求項２４】
前記第１および第２の標準修正はＩＳ−２０００修正０、ＩＳ−２０００修正Ａ、ＩＳ−２０００修正Ｂ、ＩＳ−２０００修正Ｃ、およびＩＳ−２０００修正Ｄを含むグループから選択される、請求項２３の基地局。
【請求項２５】
前記移動局によりサポートされるメッセージフォーマットは前記ＩＳ−２０００修正Ｄ標準修正(IS-2000 Revision D standards revision)により定義される、請求項２４の基地局。
【請求項２６】
命令を具備する機械可読媒体において、前記命令は前記機械により実行されると前記機械に動作を実行させ、前記動作は、
移動局からのリバースチャネル上のメッセージを受信させる、ここにおいて、前記メッセージは前記メッセージは第１のプロトコル修正フィールドと第２のプロトコル修正フィールドを含み、前記第１のプロトコル修正フィールドは前記移動局によりサポートされるメッセージフォーマットを示す第１のプロトコル修正フィールドを示し、前記第２のプロトコル修正フィールドは前記移動局によりサポートされる必須の特徴のセットを示すステーションクラスマーク(a station class mark)を具備し、前記メッセージフォーマットは第１の標準修正(standards revision)により定義され、前記必須の特徴のセットは前記メッセージフォーマットと同じプロトコルに関する第２の標準修正により定義される、
を具備する、機械可読媒体。
【請求項２７】
前記メッセージは開始メッセージ、ページ応答メッセージ、および登録メッセージを含むグループから選択される、請求項２６の機械可読媒体。
【請求項２８】
前記第１および第２の標準修正はＩＳ−２０００修正０、ＩＳ−２０００修正Ａ、ＩＳ−２０００修正Ｂ、ＩＳ−２０００修正Ｃ、およびＩＳ−２０００修正Ｄを含むグループから選択される、請求項２７の機械可読媒体。
【請求項２９】
前記移動局によりサポートされるメッセージフォーマットは前記ＩＳ−２０００修正Ｄ標準修正(IS-2000 Revision D standards revision)により定義される、請求項２８の機械可読媒体。